(57)【特許請求の範囲】
【請求項１】
発光部と、
特定の外乱を検出する外乱検出部と、
前記外乱検出部により前記特定の外乱が検出された時点を起点とする第１期間と、前記第１期間の直後の第２期間とをカウントするタイマー回路と、
前記第１期間の開始時に前記発光部を点灯するとともに、当該第１期間中において、前記発光部を第１照度で発光させ、前記第２期間において、消灯の事前通知として、前記発光部を第２照度で発光させ、かつ、前記発光部の照度を連続的又は段階的に減少させるとともに、前記第２期間の終了とともに前記発光部を消灯させる駆動回路とを備え、
前記第２照度は、前記第１照度の９０％以下、又は、前記第１照度の１１０％以上であり、
前記外乱検出部は、（１）レンズ以外の部分が非透光性部材により覆われている状態でない、又は、（２）前記発光部と近接配置されている
照明用光源。
【請求項２】
前記駆動回路は、前記第１期間において第１色温度で前記発光素子を発光させ、前記第２期間において前記第１色温度と異なる第２色温度で前記発光素子を発光させ、
前記第１色温度と前記第２色温度とは１００Ｋ以上異なる
請求項１記載の照明用光源。
【請求項３】
前記駆動回路は、前記発光部に供給する電力を変更することで、前記発光部の照度を変更する
請求項１又は２記載の照明用光源。
【請求項４】
前記駆動回路は、制御信号に応じて前記発光部へ供給する電力を調整可能な制御部を備え、前記第１期間と前記第２期間とで異なる値の前記制御信号を前記制御部へ供給することで、前記発光部へ供給する電力を変更する
請求項３記載の照明用光源。
【請求項５】
前記発光部は、
発光素子と、
抵抗素子と、
前記発光素子と前記抵抗素子とを並列に接続するか否かを切り替えるスイッチとを備え、
前記駆動回路は、前記スイッチを切り替えることで、前記発光部に供給する電力を変更する
請求項３記載の照明用光源。
【請求項６】
前記発光部は複数の発光素子を含み、
前記駆動回路は、前記複数の発光素子のうち、発光させる発光素子の数を変更することで前記発光部の照度を変更する
請求項１又は２記載の照明用光源。
【請求項７】
前記複数の発光素子は、第１発光素子及び第２発光素子を含み、
前記発光部は、さらに、
前記第１発光素子と前記第２発光素子とを並列に接続するか否かを切り替えるスイッチとを備え、
前記駆動回路は、前記スイッチを切り替えることで、前記複数の発光素子のうち、発光させる発光素子の数を変更する
請求項６記載の照明用光源。
【請求項８】
前記複数の発光素子は、第１発光素子及び第２発光素子を含み、
前記発光部は、さらに、
前記第１発光素子と前記第２発光素子とを直列に接続するか否かを切り替えるスイッチとを備え、
前記駆動回路は、前記スイッチを切り替えることで、前記複数の発光素子のうち、発光させる発光素子の数を変更する
請求項６記載の照明用光源。
【請求項９】
前記タイマー回路は、容量素子と抵抗素子とを含み、当該容量素子と当該抵抗素子との時定数を用いて前記第１期間及び前記第２期間をカウントする
請求項１〜８のいずれか１項に記載の照明用光源。
【請求項１０】
前記発光部は、発光ダイオードを含む
請求項１〜９のいずれか１項に記載の照明用光源。
【請求項１１】
請求項１〜１０のいずれか１項に記載の照明用光源を備える
照明装置。
【請求項１２】
発光部と、
特定の外乱を検出する外乱検出部と、
前記外乱検出部により前記特定の外乱が検出された時点を起点とする第１期間と、前記第１期間の直後の第２期間とをカウントするタイマー回路と、
前記第１期間の開始時に前記発光部を点灯するとともに、当該第１期間中において、前記発光部を第１色温度で発光させ、前記第２期間において、消灯の事前通知として、前記発光部を第２色温度で発光させ、かつ、前記発光部の照度を連続的又は段階的に減少させるとともに、前記第２期間の終了とともに前記発光部を消灯させる駆動回路とを備え、
前記第１色温度と前記第２色温度とは１００Ｋ以上異なり、
前記外乱検出部は、（１）レンズ以外の部分が非透光性部材により覆われている状態でない、又は、（２）前記発光部と近接配置されている
照明用光源。
【発明の詳細な説明】
【技術分野】
【０００１】
本発明は、発光ダイオード（ＬＥＤ：Ｌｉｇｈｔ  Ｅｍｉｔｔｉｎｇ  Ｄｉｏｄｅ）等の発光素子を備える照明用光源に関し、特に、人感センサを備える照明用光源に関する。
【背景技術】
【０００２】
ＬＥＤは、高効率で省スペースな光源としてランプ等に用いられている。中でも、ＬＥＤを用いたＬＥＤランプは、従来から知られる蛍光灯及び白熱電球の代替照明用光源として注目されている。【０００３】
一方、従来より、人感センサ付きの照明装置が知られている。このような人感センサ付きの照明装置では、ランプ（照明用光源）が取り付けられる照明器具に人感センサが設けられており、人感センサで人を検知することでランプが点灯する。例えば、照明エリアに人が入ってくると、人感センサにより人の存在を検知して自動的にランプが点灯し、照明エリアから人が出ていくと、人感センサにより人の不在を検知してから一定時間経過後に自動的にランプが消灯する。【０００４】
さらに、このような人感センサ付きの照明装置として、自動的にランプを消灯するまえに、照度を落として使用者に注意を促す照明装置が知られている（例えば、特許文献１参照）。
【先行技術文献】
【特許文献】
【０００５】
【特許文献１】特開２００４−３１０９４号公報
【発明の概要】
【発明が解決しようとする課題】
【０００６】
しかしながら、人感センサ付きの照明装置を用いるためには、その機能を有する照明器具への交換、又は、照明器具と照明用光源（電球）との間にアタプタを付与させる等の対応が必要となる。これにより、当該照明装置を用いるための費用が高いという課題がある。また、照明器具の交換、又はアダプタの付与を行なう場合は、照明器具又はアダプタの筐体体積と、設置可能空間との物理空間上のマッチングが発生するという課題がある。また、人感センサ機能を有する照明器具又はアダプタを使用する場合には、照明器具又はアダプタの制御方式に対応した照明用光源を使用しなければ正常に点灯制御できないという、照明器具又はアダプタと、照明用光源との制御動作上のマッチングが発生するという課題がある。また、消灯前に照度変更を行う照明器具では、照明用光源へ供給する電源が特定の状態で制御されている場合があり、照明器具の電源制御に対応した特定の照明用光源を使用しなければ所望の照度変更が得られないという課題がある。【０００７】
本発明は、上記課題に鑑みてなされたものであり、消灯の事前通知を容易に実現可能な照明用光源を提供することを目的とする。
【課題を解決するための手段】
【０００８】
上記目的を達成するために、本発明の一形態に係る照明用光源は、発光部と、特定の外乱を検出する外乱検出部と、前記外乱検出部により前記特定の外乱が検出された時点を起点とする第１期間と、前記第１期間の直後の第２期間とをカウントするタイマー回路と、前記第１期間の開始時に前記発光部を点灯するとともに、当該第１期間中において、前記発光部を発光させ、前記第２期間において、前記第１期間とは異なる光を前記発光部に発光させるとともに、前記第２期間の終了とともに前記発光部を消灯させる駆動回路とを備える。【０００９】
また、前記駆動回路は、前記第１期間において第１照度で前記発光部を発光させ、前記第２期間において前記第１照度と異なる第２照度で前記発光部を発光させてもよい。【００１０】
また、前記第２照度は、前記第１照度の９０％以下であってもよい。【００１１】
また、前記第２照度は、前記第１照度の１１０％以上であってもよい。【００１２】
また、前記タイマー回路は、前記第２期間に含まれる、第３期間と、前記第３期間の直後の第４期間とをカウントし、前記駆動回路は、前記第３期間において前記第２照度で前記発光部を発光させ、前記第４期間において、前記発光部の照度を連続的に減少させてもよい。【００１３】
また、前記駆動回路は、前記発光部に供給する電力を変更することで、前記発光部の照度を変更してもよい。【００１４】
また、前記駆動回路は、制御信号に応じて前記発光部へ供給する電力を調整可能な制御部を備え、前記第１期間と前記第２期間とで異なる値の前記制御信号を前記制御部へ供給することで、前記発光部へ供給する電力を変更してもよい。【００１５】
また、前記発光部は、発光素子と、抵抗素子と、前記発光素子と前記抵抗素子とを並列に接続するか否かを切り替えるスイッチとを備え、前記駆動回路は、前記スイッチを切り替えることで、前記発光部に供給する電力を変更してもよい。【００１６】
また、前記発光部は複数の発光素子を含み、前記駆動回路は、前記複数の発光素子のうち、発光させる発光素子の数を変更することで前記発光部の照度を変更してもよい。【００１７】
また、前記複数の発光素子は、第１発光素子及び第２発光素子を含み、前記発光部は、さらに、前記第１発光素子と前記第２発光素子とを並列に接続するか否かを切り替えるスイッチとを備え、前記駆動回路は、前記スイッチを切り替えることで、前記複数の発光素子のうち、発光させる発光素子の数を変更してもよい。【００１８】
また、前記複数の発光素子は、第１発光素子及び第２発光素子を含み、前記発光部は、さらに、前記第１発光素子と前記第２発光素子とを直列に接続するか否かを切り替えるスイッチとを備え、前記駆動回路は、前記スイッチを切り替えることで、前記複数の発光素子のうち、発光させる発光素子の数を変更してもよい。【００１９】
また、前記駆動回路は、前記第１期間において第１色温度で前記発光素子を発光させ、前記第２期間において前記第１色温度と異なる第２色温度で前記発光素子を発光させてもよい。【００２０】
また、前記第１色温度と前記第２色温度とは１００Ｋ以上異なってもよい。【００２１】
また、前記発光部は、前記第１色温度で発光する第１発光素子と、前記第２色温度で発光する第２発光素子とを含み、前記駆動回路は、前記第１発光素子と前記第２発光素子とのいずれを発光させるかを切り替えることで、前記発光部の色温度を変更してもよい。【００２２】
また、前記タイマー回路は、容量素子と抵抗素子とを含み、当該容量素子と当該抵抗素子との時定数を用いて前記第１期間及び前記第２期間をカウントしてもよい。【００２３】
また、前記発光部は、発光ダイオードを含んでもよい。【００２４】
また、本発明は、このような照明用光源を備える照明装置として実現できる。
【発明の効果】
【００２５】
以上より、本発明は、消灯の事前通知を容易に実現可能な照明用光源を提供できる。
【図面の簡単な説明】
【００２６】
【図１】図１は、本発明の実施の形態１に係る照明用光源の一部切り欠き斜視図である。
【図２】図２は、本発明の実施の形態１に係る照明用光源のブロック図である。
【図３】図３は、本発明の実施の形態１に係る照明用光源の照度を示すタイミングチャートである。
【図４】図４は、本発明の実施の形態１に係るタイマー回路の構成を示す図である。
【図５】図５は、本発明の実施の形態１に係るタイマー回路の動作を示すタイミングチャートである。
【図６】図６は、本発明の実施の形態１に係る駆動回路及び発光部の構成例を示す図である。
【図７】図７は、本発明の実施の形態１に係る駆動回路及び発光部の構成例を示す図である。
【図８】図８は、本発明の実施の形態１に係る駆動回路及び発光部の構成例を示す図である。
【図９】図９は、本発明の実施の形態１に係る段調光時に発光させる発光素子の一例を示す図である。
【図１０】図１０は、本発明の実施の形態１の変形例に係る照明用光源の照度を示すタイミングチャートである。
【図１１】図１１は、本発明の実施の形態１の変形例に係る照明用光源の照度を示すタイミングチャートである。
【図１２】図１２は、本発明の実施の形態２に係る照明用光源の照度を示すタイミングチャートである。
【図１３】図１３は、本発明の実施の形態２に係る駆動回路及び発光部の構成例を示す図である。
【図１４】図１４は、本発明の実施の形態に係る照明装置の概略断面図である。
【図１５】図１５は、本発明の実施の形態の変形例に係る照明用光源の斜視図である。
【図１６】図１６は、本発明の実施の形態の変形例に係る照明用光源の斜視図である。
【図１７Ａ】図１７Ａは、本発明の実施の形態の変形例に係る照明用光源の斜視図である。
【図１７Ｂ】図１７Ｂは、本発明の実施の形態の変形例に係る照明用光源の斜視図である。
【図１８】図１８は、本発明の実施の形態の変形例に係る照明用光源の概略断面図である。
【図１９】図１９は、本発明の実施の形態の変形例に係る照明用光源の斜視図である。
【図２０】図２０は、本発明の実施の形態の変形例に係る照明用光源の概略断面図である。
【図２１】図２１は、本発明の実施の形態の変形例に係る照明用光源の斜視図である。
【図２２】図２２は、本発明の実施の形態の変形例に係る照明用光源の斜視図である。
【図２３】図２３は、本発明の実施の形態に係る、センサ部を備える照明用光源の誤動作を説明するための図である。
【図２４】図２４は、本発明の実施の形態に係るシリコン赤外線フィルタの可視光域の透過率を示す図である。
【図２５】図２５は、本発明の実施の形態に係るＬＥＤの発光状態とセンサ部の検知信号とを示す図である。
【図２６】図２６は、本発明の実施の形態に係るＬＥＤの発光状態とセンサ部の検知信号とを示す図である。
【図２７】図２７は、本発明の実施の形態に係るＬＥＤの発光状態とセンサ部の検知信号とを示す図である。
【発明を実施するための形態】
【００２７】
以下、本発明の実施の形態に係る照明用光源について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。なお、各図は、模式図であり、必ずしも厳密に図示したものではない。
【００２８】
（実施の形態１）
本発明の実施の形態１に係る照明用光源は、人感センサを有し、当該人感センサにより、人等が検知された際に一定期間、自動的に点灯する。さらに、当該照明用光源は、自動的に消灯するまえに照度を変更することで、消灯が行われることを使用者に通知する。このような照明用光源を用いることで、当該照明用光源を照明器具に付け替えるという容易な作業だけで、消灯の事前通知機能を有する照明装置を実現できる。このように、当該照明用光源は、消灯の事前通知を容易に実現できる。
【００２９】
まず、本発明の実施の形態１に係る照明用光源の基本的な構成について、図１を用いて説明する。図１は、本発明の実施の形態１に係る照明用光源の一部切り欠き斜視図である。
【００３０】
図１に示すように、本実施の形態に係る照明用光源１は、電球形蛍光灯又は白熱電球の代替品となる電球形ＬＥＤランプである。この照明用光源１は、光源としての発光モジュール１０と、発光モジュール１０を搭載する基台２０と、発光モジュール１０を覆うグローブ３０と、発光モジュール１０を点灯させるための回路ユニット（図示せず）と、当該回路ユニットを収容する絶縁ケース５０と、絶縁ケース５０を覆う筐体６０と、回路ユニットと電気的に接続された口金７０と、人の有無を検知するセンサ部８０と、センサ部８０に、人が放射する赤外線等の光を導光する導光部材９０とを備える。このように、照明用光源１は、センサ部８０を内蔵するセンサ内蔵型の電球形ＬＥＤランプである。
【００３１】
照明用光源１は、グローブ３０と筐体６０と口金７０とによって外囲器が構成されており、当該外囲器内には、発光モジュール１０、基台２０、回路ユニット及び絶縁ケース５０が収容されている。また、本実施の形態では、センサ部８０も外囲器内に収容されている。
【００３２】
発光モジュール１０は、例えば所定の光を放出するＬＥＤモジュールであって、グローブ３０の内方に配置されている。発光モジュール１０は、センサ部８０からの検知信号に基づいて発光する。この発光モジュール１０は、複数の半導体発光素子を備える。この半導体発光素子は、例えばＬＥＤ（ＬＥＤチップ）であり、実装基板の片面上に複数個実装されている。なお、半導体発光素子としては、ＬＥＤ以外でもよく、例えば、半導体レーザ、有機ＥＬ素子又は無機ＥＬ素子を用いてもよい。
【００３３】
これらの複数の半導体発光素子は、絶縁ケース５０を囲むように設けられており、本実施の形態では、例えば複数のＬＥＤチップが実装基板の前方面に環状に実装されている。
【００３４】
なお、半導体発光素子の数は複数に限らず１個であってもよい。また、半導体発光素子の姿勢は、半導体発光素子の全てがランプ軸Ｊ方向に沿った方向に向いている必要はなく、一部がランプ軸Ｊに対して斜めに傾いた方向に向けた姿勢で実装されていてもよい。
【００３５】
次に、本実施の形態に係る照明用光源の機能構成を説明する。
【００３６】
図２は、本実施の形態に係る照明用光源１００のブロック図である。この照明用光源１００は、外乱検出部１０１と、タイマー回路１０２と、駆動回路１０３と、発光部１０４とを備える。ここで、照明用光源１００は、図１に示す照明用光源１に対応し、外乱検出部１０１は、図１に示すセンサ部８０に対応し、発光部１０４は、図１に示す発光モジュール１０に対応する。また、タイマー回路１０２及び駆動回路１０３は、上記回路ユニットに含まれる。
【００３７】
外乱検出部１０１は、特定の外乱を検出し、検出結果を示すトリガ信号１１１をタイマー回路１０２へ出力する。この外乱検出部１０１は、具体的には、人感センサであり、例えば、人体の熱源を検知する焦電型赤外線センサである。なお、外乱検出部１０１は、照明用光源１００の外側の状態の変化を検出するものであればよく、人感センサ以外であってもよい。
【００３８】
タイマー回路１０２は、トリガ信号１１１を用いて、外乱検出部１０１により特定の外乱が検出された時点を起点とする標準点灯期間（第１期間）と、当該標準点灯期間の直後の段調光期間（第２期間）とをカウントする。例えば、このタイマー回路１０２は、容量素子と抵抗素子とを含み、当該容量素子と当該抵抗素子との時定数を用いて上記期間をカウントする。または、当該タイマー回路１０２は、クロック信号を用いて時間を計測するマイコン等であってもよい。
【００３９】
また、タイマー回路１０２は、カウントした標準点灯期間と段調光期間とを示す制御信号１１２を駆動回路１０３へ出力する。例えば、制御信号１１２は、標準点灯期間の開始タイミングと、標準点灯期間の終了タイミング（段調光期間の開始タイミング）と、段調光期間の終了タイミングとを示す。なお、タイマー回路１０２は、時間を計測し、複数の期間を示す信号を外部に伝達できる構成であればよい。
【００４０】
駆動回路１０３は、発光部１０４を点灯及び消灯させるとともに、発光部１０４の照度を制御する。
【００４１】
発光部１０４は、例えば、複数の発光素子（ＬＥＤ）を含む。各発光素子は、駆動回路１０３の制御に応じて点灯及び消灯する。なお、発光部１０４は、１つの発光素子のみを含んでもよい。
【００４２】
図３は、照明用光源１００の照度を示すタイミングチャートである。なお、図３では、標準点灯期間における照度を１００％で示している。
【００４３】
図３に示すように時刻ｔ０１以前の期間では、発光部１０４は消灯している。そして、時刻ｔ０１において、外乱検出部１０１は、外乱を検出する。駆動回路１０３は、標準点灯期間の開始時（時刻ｔ０１）に発光部１０４を点灯するとともに、当該標準点灯期間中（時刻ｔ０１〜ｔ０２）において、発光部１０４を発光させる。そして、駆動回路１０３は、段調光期間（時刻ｔ０２〜ｔ０３）において、標準点灯期間とは異なる光を発光部１０４に発光させるとともに、段調光期間の終了（時刻ｔ０３）とともに発光部１０４を消灯させる。具体的には、駆動回路１０３は、標準点灯期間において第１照度で発光部１０４を発光させ、段調光期間において第１照度と異なる第２照度で発光部１０４を発光させる。例えば、段調光期間の第２照度は、人が照度の変化を感じられるように、標準点灯期間の第１照度の９０％〜２０％であることが好ましい。
【００４４】
また、段調光期間は、消灯が間近であることを使用者が認識したうえで必要に応じた行動をとれるだけの時間であることが好ましい。ここで、必要に応じた行動とは、例えば、使用者が腕を振る動作である。この動作をセンサ（外乱検出部１０１）が検出することで、消灯が行われない。
【００４５】
以下、タイマー回路１０２の詳細を説明する。
【００４６】
図４は、タイマー回路１０２の構成を示す図である。図４に示す構成は、容量素子と抵抗素子とを用いたタイマー回路の一例である。このタイマー回路１０２は、点灯制御部１３１と、電源１３２と、判定回路１３５と、抵抗素子Ｒ１及びＲ２と、容量素子Ｃ１とを備える。
【００４７】
容量素子Ｃ１は、ノード１３３と接地電位線との間に接続されている。抵抗素子Ｒ１はノード１３３と電源１３２との間に接続されている。電源１３２は、電源電圧Ｖｃｃ及び接地電位ＧＮＤを選択的に抵抗素子Ｒ１の一端に供給する。なお、ノード１３３は、抵抗素子Ｒ１の抵抗値よりも十分に大きい抵抗値を有する抵抗素子を介して、接地電位線等の電源線に接続されていてもよい。
【００４８】
点灯制御部１３１は、トリガ信号１１１に応じて、電源１３２が出力する電圧を切り替える。また、点灯制御部１３１は、ノード１３３の電圧Ｖｃに応じて、点灯の開始（標準点灯期間の開始）及び点灯の終了（段調光期間の終了）を示す点灯切替信号１１２Ａを生成し、生成した点灯切替信号１１２Ａを駆動回路１０３へ出力する。
【００４９】
判定回路１３５は、電圧Ｖｃに応じて、段調光期間の開始を示す段調光切替信号１１２Ｂを生成し、生成した段調光切替信号１１２Ｂを駆動回路１０３へ出力する。
【００５０】
図５は、電圧Ｖｃ及び照度を示すタイミングチャートである。図５に示すように、点灯制御部１３１は、外乱が検出される前の期間（時刻ｔ１１より前）において、電源１３２は電源電圧Ｖｃｃを出力している。これにより、ノード１３３は電源電圧Ｖｃｃに充電されている。
【００５１】
時刻ｔ１１において外乱が検出されると、点灯制御部１３１は、電源１３２が出力する電圧を電源電圧Ｖｃｃから接地電位ＧＮＤに切り替える。これにより、電圧Ｖｃは接地電位ＧＮＤまで低下する。所定の時間後、点灯制御部１３１は、電源１３２が出力する電圧を接地電位ＧＮＤから電源電圧Ｖｃｃに切り替える。これにより、電圧Ｖｃは増加し始める。
【００５２】
点灯制御部１３１は、電圧Ｖｃと、予め定められた点灯電圧Ｖｏｎ及び消灯電圧Ｖｏｆｆとを比較する。点灯制御部１３１は、時刻ｔ１２において、電圧Ｖｃと点灯電圧Ｖｏｎが一致したことを検知し、検知タイミングを示す点灯切替信号１１２Ａを駆動回路１０３へ出力する。これにより、駆動回路１０３は、時刻ｔ１２において、発光部１０４を点灯する。なお、点灯制御部１３１は、点灯電圧Ｖｏｎを用いず、外乱が検知されたタイミング（時刻ｔ１１）を示す点灯切替信号１１２Ａを駆動回路１０３へ出力してもよい。
【００５３】
また、判定回路１３５は、電圧Ｖｃと、予め定められた閾値電圧Ｖｔｈとを比較する。判定回路１３５は、時刻ｔ１３において、電圧Ｖｃと閾値電圧Ｖｔｈが一致したことを検知し、検知タイミングを示す段調光切替信号１１２Ｂを駆動回路１０３へ出力する。これにより、駆動回路１０３は、時刻ｔ１３において、発光部１０４の照度を低くする。
【００５４】
さらに、点灯制御部１３１は、時刻ｔ１４において、電圧Ｖｃと点灯電圧Ｖｏｆｆが一致したことを検知し、検知タイミングを示す点灯切替信号１１２Ａを駆動回路１０３へ出力する。これにより、駆動回路１０３は、時刻ｔ１４において、発光部１０４を消灯する。
【００５５】
また、図５に示すように、外乱検出（時刻ｔ１５）の後の点灯期間（時刻ｔ１６〜ｔ１９）において、再度外乱が検出された場合（時刻ｔ１７）、再度、電圧Ｖｃが低下することで、点灯期間が延長される。
【００５６】
なお、ここで示すタイマー回路１０２の回路構成は一例であり、本発明はこの構成に限定されない。
【００５７】
例えば、上記説明では、点灯及び消灯を制御する点灯制御部１３１と、標準点灯から段調光への切り替えを制御する判定回路１３５とを個別に設けているが、単一の回路で構成してもよい。つまり、これらの回路の一部を共用してもよい。
【００５８】
また、判定回路１３５と、駆動回路１０３とを個別に設けているが、これらの回路の一部を共用してもよい。
【００５９】
また、容量素子Ｃ１に電荷を充電及び放電するための構成は上記に限定されず、他の回路構成を用いてもよい。
【００６０】
ここで、このような抵抗素子及び容量素子を用いた構成は、ディスクリート部品の組み合わせで実現が可能である。なお、タイマー回路１０２は非マイコンの汎用部品で構成されてもよい。
【００６１】
また、タイマー回路１０２の機能を、マイコンがソフトウェアを実行することで実現してもよい。この場合、例えば、各期間の開始及び終了を示す信号を、当該マイコンの汎用出力端子から出力することで、駆動回路１０３を制御する。また、この制御を、マイコンの２つのデジタル端子を用いて行ってもよいし、１つのＤ／Ａ出力端子を用いて行ってもよい。
【００６２】
次に、段調光を行うための構成例について説明する。
【００６３】
図６は、駆動回路１０３及び発光部１０４の構成例を示す図である。図６に示す発光部１０４は、ＬＥＤ１４１（発光素子）と、抵抗素子１４２と、スイッチ１４３とを備える。抵抗素子１４２とスイッチ１４３とは直列に接続されており、抵抗素子１４２とスイッチ１４３との直列回路が、ＬＥＤ１４１と並列に接続されている。
【００６４】
なお、発光部１０４は、互いに直列又は並列に接続された複数のＬＥＤ１４１を含んでもよい。
【００６５】
点灯期間（標準点灯期間及び段調光期間の両方）において、駆動回路１０３は、ＬＥＤ１４１の両端に電圧ＶＬ及び電圧ＶＨを供給する。この構成において、駆動回路１０３は、標準点灯期間にスイッチ１４３をオフし、段調光期間にスイッチ１４３をオンする。これにより、段調光期間においてＬＥＤ１４１に流れる電流は、標準点灯期間においてＬＥＤ１４１に流れる電流より小さくなる。このように、駆動回路１０３は、段調光期間において、標準点灯期間よりもＬＥＤ１４１に供給する電力（電流）を小さくすることによって、段調光期間の照度を標準点灯期間の照度より小さくする。
【００６６】
なお、ここでは、駆動回路１０３が発光部１０４に供給する電力（電流）を一定としたうえで、ＬＥＤ１４１に流れる電流を減らす構成を説明したが、駆動回路１０３が、発光部１０４に供給する電力（電流）を小さくすることによって、段調光期間の照度を標準点灯期間の照度より小さくしてもよい。例えば、駆動回路１０３は、制御信号に応じて発光部１０４へ供給する電力を調整可能な制御部を備え、標準点灯期間と段調光期間とで異なる値の制御信号を制御部へ供給してもよい。これにより、駆動回路１０３は、発光部１０４へ供給する電力を変更することができる。例えば、駆動回路１０３の電力調整機能を用いて、上記動作を実現できる。具体的には、駆動回路用のＩＣが備える電力調整機能端子に供給される信号を変更されることにより、上記動作が実現される。
【００６７】
なお、駆動回路１０３は、発光部１０４に含まれる複数の発光素子のうち、発光させる発光素子の数を変更することで発光部１０４の照度を変更してもよい。
【００６８】
図７は、この場合の駆動回路１０３及び発光部１０４の構成例を示す図である。図７に示す発光部１０４は、ＬＥＤ１５１（第１発光素子）と、ＬＥＤ１５２（第２発光素子）と、抵抗素子１５３と、スイッチ１５４とを備える。
【００６９】
スイッチ１５４は、ＬＥＤ１５１とＬＥＤ１５２とを並列に接続するか否かを切り替える。そして、駆動回路１０３は、スイッチ１５４を切り替えることで、複数のＬＥＤ１５１及び１５２のうち、発光させるＬＥＤの数を変更する。
【００７０】
具体的には、ＬＥＤ１５２と抵抗素子１５３とスイッチ１５４とで構成される回路がＬＥＤ１５１と並列に接続されている。スイッチ１５４は、（１）ＬＥＤ１５１に、ＬＥＤ１５２を並列に接続する第１状態と、（２）ＬＥＤ１５１に抵抗素子１５３を並列に接続する第２状態とを切り替える。
【００７１】
なお、発光部１０４は、互いに直列又は並列に接続された複数のＬＥＤ１５１を含んでもよいし、互いに直列又は並列に接続された複数のＬＥＤ１５２を含んでもよい。また、複数のＬＥＤ１５１の数と、複数のＬＥＤ１５２の数とは同じでもよいし、異なってもよい。
【００７２】
また、抵抗素子１５３の抵抗値は無限大（開放）であってもよい。
【００７３】
駆動回路１０３は、標準点灯期間にスイッチ１５４を第１状態（ＬＥＤ１５１にＬＥＤ１５２を並列接続する状態）にし、段調光期間にスイッチ１５４を第２状態（ＬＥＤ１５１に抵抗素子１５３を並列接続する状態）にする。これにより、段調光期間において発光する発光素子（ＬＥＤ）の数は、標準点灯期間において発光する発光素子の数より少なくなる。よって、段調光期間の照度は標準点灯期間の照度より小さくなる。
【００７４】
また、発光させる発光素子の数を変更する構成として図８に示す構成を用いてもよい。図８に示す発光部１０４は、ＬＥＤ１６１（第１発光素子）と、ＬＥＤ１６２（第２発光素子）と、抵抗素子１６３と、スイッチ１６４とを備える。
【００７５】
スイッチ１６４は、ＬＥＤ１６１とＬＥＤ１６２とを直列に接続するか否かを切り替える。そして、駆動回路１０３は、スイッチ１６４を切り替えることで、複数のＬＥＤ１６１及び１６２のうち、発光させるＬＥＤの数を変更する。
【００７６】
具体的には、ＬＥＤ１６１の一端には電圧ＶＨが供給される。スイッチ１６４は、（１）ＬＥＤ１６１の他端とＬＥＤ１６２の一端とを接続する第１状態と、（２）ＬＥＤ１６１の他端と抵抗素子１６３との一端とを接続する第２状態とを切り替える。ＬＥＤ１６２の他端及び抵抗素子１６３の他端には電圧ＶＬが供給される。
【００７７】
なお、発光部１０４は、互いに直列又は並列に接続された複数のＬＥＤ１６１を含んでもよいし、互いに直列又は並列に接続された複数のＬＥＤ１６２を含んでもよい。また、複数のＬＥＤ１６１の数と、複数のＬＥＤ１６２の数とは同じでもよいし、異なってもよい。
【００７８】
また、抵抗素子１６３の抵抗値は０（短絡）であってもよい。
【００７９】
駆動回路１０３は、標準点灯期間にスイッチ１６４を第１状態（ＬＥＤ１６１にＬＥＤ１６２を直列接続する状態）にし、段調光期間にスイッチ１６４を第２状態（ＬＥＤ１６１にと抵抗素子１６３を直列接続する状態）にする。これにより、段調光期間において発光する発光素子（ＬＥＤ）の数は、標準点灯期間において発光する発光素子の数より少なくなる。よって、段調光期間の照度は標準点灯期間の照度より小さくなる。
【００８０】
なお、このように、段調光期間において発光する発光素子の数を減らす場合、図９に示すように、発光させない発光素子１８１と発光させる発光素子１８２とを規則的に配置することが好ましい。例えば、図９に示す例では、発光させない発光素子１８１と発光させる発光素子１８２とが交互に配置される。
【００８１】
また、上記説明では、判定回路１３５と駆動回路１０３と発光部１０４とを個別に記載しているが、これらの機能の一部を共用してもよい。例えば、判定回路１３５と、駆動回路１０３と、発光部１０４に含まれるスイッチ（スイッチ１４３、１５４又は１６４）との機能を単一のトランジスタで構成することが可能である。
【００８２】
また、上記説明では、標準点灯期間に対して段調光期間の照度を減らす例を述べたが、図１０に示すように、標準点灯期間に対して段調光期間の照度を増やしてもよい。この場合、人が照度の変化を感じられるように、段調光期間の照度を標準点灯期間の照度の１１０％以上にすることが好ましい。
【００８３】
また、図１１に示すように、段調光期間の直後に連続調光期間（時刻ｔ０３〜ｔ０４）を設けてもよい。この場合、タイマー回路１０２は、標準点灯期間（第１期間）と、段調光期間（第３期間）と、連続調光期間（第４期間）とをカウントする。そして、駆動回路１０３は、段調光期間（第３期間）において第２照度（２０％〜９０％）で発光部１０４を発光させ、連続調光期間（第４期間）において、照度が連続的に減少するように発光部１０４を制御する。
【００８４】
なお、図１１では、段調光期間と連続調光期間とを両方設ける例を示しているが、連続調光期間のみを設けてもよい。また、連続調光期間の後に段調光期間を設けてもよい。さらに、それぞれが段調光期間又は連続調光期間である３個以上の期間を設けてもよい。
【００８５】
以上により、本実施の形態に係る照明用光源１００は、外乱検出部１０１を有し、当該外乱検出部１０１により外乱が検知された際に、一定期間、自動的に点灯する。さらに、当該照明用光源１００は、自動的に消灯するまえに照度を変更することで、消灯が行われることを使用者に通知する。このような照明用光源１００を用いることで、当該照明用光源１００を照明器具に付け替えるという容易な作業だけで、消灯の事前通知機能を有する照明装置を実現できる。このように、当該照明用光源１００は、消灯の事前通知を容易に実現できる。
【００８６】
（実施の形態２）
本実施の形態では、消灯前に色温度を変更する照明用光源について説明する。なお、本実施の形態に係る照明用光源の全体構成等は、実施の形態１と同様である。また、以下では、実施の形態１との相違点を主に説明し、重複する説明は省略する。
【００８７】
図１２は、本実施の形態に係る照明用光源１００の色温度を示すタイミングチャートである。
【００８８】
図１２に示すように、時刻ｔ２１において、外乱検出部１０１は、外乱を検出する。駆動回路１０３は、標準点灯期間の開始時（時刻ｔ２１）に発光部１０４を点灯するとともに、当該標準点灯期間中（時刻ｔ２１〜ｔ２２）において、発光部１０４を発光させる。そして、駆動回路１０３は、調色期間（時刻ｔ２２〜ｔ２３）において、標準点灯期間とは異なる色温度で発光部１０４に発光させるとともに、調色期間の終了（時刻ｔ２３）とともに発光部１０４を消灯させる。例えば、調色期間の色温度は、人が色温度の変化を感じられるように、標準点灯期間の色温度の＋１００Ｋ以上又は−１００Ｋ以下であることが好ましい。
【００８９】
次に、この調色を行うための構成について説明する。
【００９０】
図１３は、本実施の形態に係る駆動回路１０３及び発光部１０４の構成例を示す図である。図１３に示す発光部１０４は、第１色温度（Ｘ［Ｋ］）で発光するＬＥＤ１７１（発光素子）と、第２色温度（Ｘ±１００［Ｋ］）で発光するＬＥＤ１７２と、スイッチ１７３とを備える。
【００９１】
スイッチ１７３は、ＬＥＤ１７１とＬＥＤ１７２とのいずれを発光させるかを切り替える。そして、駆動回路１０３は、スイッチ１７３を切り替えることで、発光部１０４の色温度を変更する。なお、スイッチ１７３は、標準点灯期間においてＬＥＤ１７１及びＬＥＤ１７２の一方のみを発光させ、調色期間においてＬＥＤ１７１及びＬＥＤ１７２の両方を発光させてもよい。また、スイッチ１７３は、標準点灯期間においてＬＥＤ１７１及びＬＥＤ１７２の両方を発光させ、調色期間においてＬＥＤ１７１及びＬＥＤ１７２の一方のみを発光させてもよい。
【００９２】
以上の構成により、本実施の形態に係る照明用光源１００は、上述した実施の形態１と同様の効果を実現できる。
【００９３】
以上、本発明の各実施の形態では、特に照明用光源について説明したが、本発明の各実施の形態に係る照明用光源は、照明装置に適用することができる。以下、本発明に係る照明装置について、図１４を参照しながら説明する。図１４は、本発明に係る照明装置５００の概略断面図である。
【００９４】
本発明に係る照明装置５００は、例えば、室内の天井５１０に装着されて使用される。この照明装置５００は、照明用光源１と点灯器具５２０とを備える。照明用光源１は、上記の各実施の形態に係る照明用光源（照明用光源１、又は照明用光源１００）である。
【００９５】
点灯器具５２０は、照明用光源１を消灯及び点灯させる。この点灯器具５２０は、天井５１０に取り付けられる器具本体５２１と、照明用光源１を覆うランプカバー５２２とを備える。
【００９６】
器具本体５２１は、照明用光源１の口金７０が螺着されるソケット５２１ａを有し、当該ソケット５２１ａを介して照明用光源１に所定の電力を給電する。
【００９７】
なお、ここでの照明装置５００は、一例であり、照明用光源１の口金７０を螺着するためのソケット５２１ａを備える照明装置であれば構わない。また、図１４に示す照明装置５００は、１つの照明用光源を備えるが、複数、例えば、２個以上の照明用光源を備えても構わない。
【００９８】
また、上記説明では、照明用光源が電球形ＬＥＤランプである場合を例に説明を行ったが、本発明は、他の形状の照明用光源にも適用できる。なお、以下で説明する照明用光源の機能構成は、図２に示す構成と同様である。
【００９９】
以下、本発明を直管形ＬＥＤランプに適用した場合の構成について説明する。
【０１００】
図１５は、本発明に係る照明用光源の一例である直管形ＬＥＤランプの外観を示す斜視図である。照明用光源２００Ａは、電極コイルを用いた従来の一般的な直管蛍光灯と略同形の直管形ＬＥＤランプである。なお、図１５においては筐体２０５の一部を切り欠いて照明用光源２００Ａの内部が示されている。
【０１０１】
図１５に示すように、照明用光源２００Ａは、筐体２０５と、２つの口金２０１と、口金ピン２０２と、複数のＬＥＤモジュール２０６とを備える。口金ピン２０２は、各口金２０１に設けられる。
【０１０２】
筐体２０５は、ＬＥＤモジュール２０６を収納するための中空の筐体（外囲器）である。筐体２０５の形状は、長尺状である。筐体２０５の両端部には開口部が形成される。
【０１０３】
筐体２０５は、カバー２０３と、基台２０４とを含む。カバー２０３および基台２０４の各々は、該筐体２０５の長手方向に沿って延びる。以下においては、筐体２０５の長手方向を、筺体長手方向ともいう。
【０１０４】
カバー２０３は、透光性を有するプラスチックから構成される。なお、カバー２０３は、プラスチックに限定されず、アクリル、ポリカーボネート、ガラス等により構成されてもよい。
【０１０５】
カバー２０３の形状は、カバー２０３の長手方向の一端から他端まで、同じ形状が続く形状である。すなわち、カバー２０３の形状は、長尺状である。また、基台２０４の形状は、基台２０４の長手方向の一端から他端まで、同じ形状が続く形状である。カバー２０３は、発光モジュールとしてのＬＥＤモジュール２０６を覆うように構成される。
【０１０６】
カバー２０３の断面形状は、略円弧形状である。カバー２０３の厚みは、例えば、０．７［ｍｍ］である。ただし、カバー２０３の断面形状は特に限定されず、例えば、四角形状など、直線と曲線とを組み合わせた形状であってもよい。
【０１０７】
また、カバー２０３の外面又は内面には拡散処理が施されていることが好ましい。これにより、ＬＥＤモジュール２０６が発する光を拡散させることができる。拡散処理としては、例えば、カバー２０３の内面にシリカや炭酸カルシウム等を塗布する方法、カバー２０３の材料に拡散材を分散したポリカーボネート等の樹脂材を用いる方法、あるいはカバー２０３の内面に溝などを形成して凹凸を設ける方法等がある。
【０１０８】
ＬＥＤモジュール２０６は、図２に示す発光部１０４に相当する。このＬＥＤモジュール２０６は、例えば、ＣＯＢ型（Ｃｈｉｐ  Ｏｎ  Ｂｏａｒｄ）であって、実装基板と、当該実装基板に実装されている単数又は複数の発光素子とを含む。なお、発光素子を覆うように蛍光体等を含む波長変換部材が設けられていてもよい。ＬＥＤモジュール２０６は、ライン状（線状）に光を発するライン状光源である。
【０１０９】
センサ部２０７は、人の有無を検知する。このセンサ部２０７は、図２に示す外乱検出部１０１に相当する。
【０１１０】
なお、センサ部２０７が配置される位置は図１５に示す例に限定されず、センサ部２０７は任意の位置に配置されてよい。例えば、図１６に示す照明用光源２００Ｂのように、センサ部２０７は口金２０１に配置されてもよい。
【０１１１】
また、以下に示す形状の照明用光源に本発明を適用してもよい。
【０１１２】
図１７Ａ及び図１７Ｂは、本実施の形態の変形例に係る照明用光源３００Ａの外観を示す斜視図である。具体的には、図１７Ａは、照明用光源３００Ａを斜め上方から見たときの斜視図であり、図１７Ｂは、照明用光源３００Ａを斜め下方から見たときの斜視図である。なお、照明用光源３００Ａの開口はカバーで塞がれているが、当該カバーは透明な部材であるため、図１７Ｂでは、照明用光源３００Ａの内部が透けて見えている。
【０１１３】
ここで、図１７Ａでは、照明用光源３００Ａから光を取り出す側（以下、光照射側という）が下側となるように、また、図１７Ｂでは、光照射側が上側となるように図示されている。以下、光照射側を前側（前方）、光照射側と反対側を後側（後方）、前後方向に交差する方向を側方として、説明を行う。
【０１１４】
これらの図に示すように、照明用光源３００Ａは、全体形状が円盤状または扁平状のＬＥＤランプである。具体的には、照明用光源３００Ａは、ＧＨ７６ｐ形の口金を有するＬＥＤランプである。さらに具体的には、照明用光源３００Ａは、例えば外径が５０ｍｍ〜１００ｍｍ、高さが３０ｍｍ〜５０ｍｍであり、照明用光源３００Ａが２０Ｗ型のＬＥＤランプの場合には、例えば外径は９０ｍｍ、高さは４５ｍｍである。
【０１１５】
また、照明用光源３００Ａは、照明器具（図示せず）に取り付けられる支持台３２０と、支持台３２０の前側に設けられた発光モジュールであるＬＥＤモジュール３４２と、支持台３２０に接続された筐体３５０とを備えている。
【０１１６】
また、筐体３５０の後側の面（照明器具側の面）には、円周状に５つの貫通孔３５１（同図では、貫通孔３５１ａ〜３５１ｅ）が形成されている。そして、当該貫通孔３５１には、照明器具と電気的に接続するための電気接続ピン３５２が挿入される。なお、同図では、貫通孔３５１ａ、３５１ｂに電気接続ピン３５２ａ、３５２ｂが挿入されているが、貫通孔３５１ｃ〜３５１ｅにも、それぞれ電気接続ピン３５２ｃ〜３５２ｅ（図示せず）が挿入される。ここで、例えば、電気接続ピン３５２ａ、３５２ｂは給電用のピンであり、電気接続ピン３５２ｃ、３５２ｄは調光用のピンであり、電気接続ピン３５２ｅはアース用のピンである。なお、例えば調光を行わない場合には、貫通孔３５１ｃ、３５１ｄは形成されず、電気接続ピン３５２ｃ、３５２ｄは挿入されない。また、電気接続ピン３５２が挿入されない貫通孔３５１は閉じられていてもよいし、当該貫通孔３５１が形成されていなくてもよい。
【０１１７】
図１８は、照明用光源３００Ａを前後方向に切断した場合の断面の概略図である。
【０１１８】
図１８に示すように、照明用光源３００Ａは、熱伝導シート３１０、支持台３２０、熱伝導シート３３０、ＬＥＤモジュール３４２、筐体３５０、回路基板３７０、センサ部３７９、反射鏡３８０及び透光性カバー３９０を備えている。
【０１１９】
ＬＥＤモジュール３４２は、図２に示す発光部１０４に相当する。このＬＥＤモジュール３４２は、例えば、ＣＯＢ型（Ｃｈｉｐ  Ｏｎ  Ｂｏａｒｄ）であって、実装基板３４０と、発光部３４１とを含む。発光部３４１は、当該実装基板３４０に実装されている単数又は複数の発光素子を含む。なお、発光素子を覆うように蛍光体等を含む波長変換部材が設けられていてもよい。
【０１２０】
筐体３５０は、照明用光源３００Ａの光照射側を囲う、前後方向の長さが短い扁平形状（平盤状）で円筒形状の筐体である。具体的には、筐体３５０は、前部及び後部に開口部を有し、後部が支持台３２０に固定されており、前部には、透光性カバー３９０が取り付けられている。そして、筐体３５０の内方には、熱伝導シート３３０、ＬＥＤモジュール３４２、回路基板３７０及び反射鏡３８０が配置されている。また、筐体３５０は、図１７Ａに示したように、実装基板３４０に実装されたＬＥＤチップを発光するための電力を受電する受電部である電気接続ピン３５２を有する。つまり、給電用の電気接続ピン３５２は、交流電力を受電し、受電した交流電力は、リード線を介して回路基板３７０に入力される。
【０１２１】
回路基板３７０は、発光部３４１の側方に配置されており、発光部３４１が有する発光素子を発光させるための電源回路基板である。
【０１２２】
具体的には、回路基板３７０には、給電用の電気接続ピン３５２から受電した交流電力を直流電力に変換するための回路素子（電子部品）などが実装されている。つまり、回路基板３７０の入力部と給電用の電気接続ピン３５２とがリード線等によって電気的に接続されており、また、回路基板３７０の出力部と実装基板３４０の発光部３４１及びセンサ部３７９とがリード線等によって電気的に接続されている。回路基板３７０によって変換された直流電力は、給電端子を介して発光部３４１及びセンサ部３７９に供給される。
【０１２３】
センサ部３７９は、赤外線を感知する人感センサである。このセンサ部３７９は、図２に示す外乱検出部１０１に相当する。
【０１２４】
なお、センサ部３７９の形状は、ここでは円錐台形状として図示しているが、どのような形状であってもよく、また、センサ部３７９は、人感センサではなく、照度センサなどであってもよい。
【０１２５】
反射鏡３８０は、実装基板３４０の光照射側に配置され、発光部３４１から照射される光を反射する光学部材である。つまり、反射鏡３８０は、実装基板３４０に設けられた発光部３４１の発光素子が発する光を反射して前方に照射する。
【０１２６】
透光性カバー３９０は、筐体３５０の内部に配置された部材を保護するために筐体３５０の前面に取り付けられて筐体３５０の前側の開口部を覆う平盤状の有底円筒形状部材である。透光性カバー３９０には、センサ部３７９の前方に、赤外線を透過させる赤外透過窓３９１が設けられている。赤外透過窓３９１には、例えば、透明のポリエチレン製のカバー等の赤外線を透過する材料を用いればよい。なお、透光性カバー３９０が赤外線を透過しもよい。この場合、赤外透過窓３９１を設けなくてもよい。
【０１２７】
なお、センサ部３７９が配置される位置は図１７Ａ、図１７Ｂ及び図１８に示す例に限定されず、センサ部３７９は任意の位置に配置されてよい。例えば、図１９及び図２０に示す照明用光源３００Ｂのように、センサ部３７９はＬＥＤモジュール３４２の横側に配置されてもよい。この場合、センサ部３７９がＬＥＤモジュール３４２の配光を制限することを抑制できる。
【０１２８】
なお、上記照明用光源は、照明用光源を点灯させる電源回路を含む回路ユニット（回路基板３７０）がランプユニットに内蔵された構成であるが、照明用光源と、回路ユニットとが別々にユニット化されていてもよい。この場合、回路ユニットは、照明用光源が取り付けられる点灯器具等に内蔵される。
【０１２９】
図２１は、回路ユニットを内蔵しない照明用光源３００Ｃの斜視図である。
【０１３０】
この照明用光源３００Ｃは、照明用光源３００Ａの構成に対して、内部に回路ユニットを備えない。また、照明用光源３００Ｃは、配線部材３９５を備える。
【０１３１】
配線部材３９５は、発光部３４１と電気的に接続された一組のリード線３９６を有している。リード線３９６は、照明用光源３００Ｃの外部へ導出され、その端部にコネクタ３９７が取り付けられている。このコネクタ３９７は、点灯器具に内蔵されている回路ユニットに接続される。なお、図２１に図示のリード線３９６及びコネクタ３９７の他に、センサ部３７９用の電源ライン及び信号線用が設けられている（不図示）。
【０１３２】
なお、センサ部３７９が配置される位置は、図２１に示す例に限定されず、ＬＥＤモジュール３４２の横側に配置されていてもよい。この場合、センサ部３７９がＬＥＤモジュール３４２の配光を制限することを抑制できる。
【０１３３】
次に、本発明をクリア電球形ＬＥＤランプに適用した場合の構成について説明する。
【０１３４】
図２２は、本発明に係る照明用光源の一例であるクリア電球形ＬＥＤランプの外観を示す斜視図である。
【０１３５】
図２２に示すように、照明用光源４００は、白熱電球を代替する電球型のランプであって、光源としての半導体発光素子にＬＥＤを用いたＬＥＤランプである。照明用光源４００は、その主な構成要素として、透光性のグローブ４１０と、光源である半導体発光素子４２２を備えた発光モジュールであるＬＥＤモジュール４２０と、外部より電力を受電する口金４３０と、ＬＥＤモジュール４２０をグローブ４１０内に支持する支持部材４４０と、センサ部４８０とを備える。
【０１３６】
グローブ４１０の開口側の端部には、ケース４６０が取着されている。ケース４６０は筒状の形状を有している。ケース４６０の一端には口金４３０が取着されている。また、ケース４６０の他端側の開口は、ケース蓋４５０により塞がれている。ケース４６０の内部には回路ユニットが格納されている。ケース蓋４５０上には、グローブ４１０内へと延伸する方向に支持部材４４０が立設されており、支持部材４４０の延伸する方向の先端にＬＥＤモジュール４２０が取着されている。
【０１３７】
グローブ４１０は、白熱電球のバルブ（ガラスバルブとも言う。）と同じような形状をしている。グローブ４１０は、ここでは、一般白熱電球（フィラメントを有する電球）と似た形状をした、いわゆるＡタイプである。
【０１３８】
グローブ４１０は、透光性材料により構成される。透光性材料は、ガラス材料又はアクリル等の樹脂材料などがある。ここでは、グローブ４１０は例えばガラス材料により構成されている。
【０１３９】
なお、グローブ４１０の形状は、必ずしもＡ形である必要はない。例えば、グローブ４１０の形状は、Ｇ形またはＥ形等であってもよい。
【０１４０】
ＬＥＤモジュール４２０は、図２に示す発光部１０４に相当する。このＬＥＤモジュール４２０は、例えば、ＣＯＢ型（Ｃｈｉｐ  Ｏｎ  Ｂｏａｒｄ）であって、実装基板と、当該実装基板に実装されている単数又は複数の発光素子（半導体発光素子４２２）とを含む。なお、発光素子を覆うように蛍光体等を含む波長変換部材が設けられていてもよい。
【０１４１】
また、実装基板を透光性セラミック等の透光性の材料で形成することにより、光を実装基板側からも放出することができる。これにより、より従来の白熱電球に似た照明用光源を実現できる。
【０１４２】
センサ部４８０は、人の有無を検知する。このセンサ部４８０は、図２に示す外乱検出部１０１に相当する。
【０１４３】
ここで、本発明者は、以下の実験を行い、従来の技術において以下の課題があることを見出した。
【０１４４】
図２３は、人感センサのレンズ以外の部分が、非透光性部材により覆われていない場合のＬＥＤの発光状態（電流）と、人感センサの出力である検知信号とを示す図である。図２３に示すように、ＬＥＤをオン又はオフした際に、人感センサが誤動作している。
【０１４５】
図２４は、人感センサに用いられるシリコン赤外線フィルタの可視光域の透過率を示す図である。図２４に示すように、シリコン赤外線フィルタは、白色ＬＥＤの発光波長帯域の光を、僅かではあるが透過する。また、上述したように、人感センサが一体化された照明装置では、人感センサと発光部（ＬＥＤ）とが比較的近くに配置される。これにより、ＬＥＤのオン及びオフが人感センサに影響を与える。また、この現象は、人感センサのレンズ以外の部分が、非透光性部材により覆われている場合には起こらない。
【０１４６】
また、上述した実施の形態に係る照明用光源のように人感センサの検知信号に応じて点灯を行う場合には、上記の現象により、消灯時に人感センサが誤動作することで、再度、点灯が行われる。これにより、照明用光源が消灯されないという誤動作を引き起こす。
【０１４７】
図２５、図２６及び図２７は、ＬＥＤの消灯時におけるＬＥＤの発光状態（電流）と検知信号とを示す図である。図２５〜図２７は、それぞれ、ＬＥＤが発光状態から消灯状態に遷移するまでの時間である消灯時間が異なる。具体的には、図２５では消灯時間は３秒であり、図２６では消灯時間は４秒であり、図２７では消灯時間は５秒である。
【０１４８】
図２５〜図２７から、消灯時間を長くすることで人感センサの誤動作が抑制されることが分かる。具体的には、消灯時間が３秒である場合には、誤動作が発生する場合があるが、消灯時間が４秒である場合には、誤動作が発生しない。
【０１４９】
つまり、図１１に示す、期間ｔ０３〜ｔ０４のように、消灯時に照度を連続的に減少させることで、上記誤動作を抑制できる。なお、図３に示すように、照度を段階的に減少させる場合でも同様の効果があると考えられる。つまり、図３に示す例では、消灯時間は期間ｔ０２〜ｔ０３であり、図１１に示す例では消灯時間は期間ｔ０２〜ｔ０４である。
【０１５０】
また、誤動作を防止できる消灯時間の長さは、点灯時の輝度（消灯時の輝度の変化量）に応じて異なる。具体的には、点灯時の輝度が高いほど、長い消灯時間が必要となる。また、点灯時に色温度が異なっても、必要となる消灯時間の長さは変わらない。また、人感センサの感度に応じて、必要となる消灯時間の長さが異なる。
【０１５１】
上記実験で用いた人感センサの感度は、現在用いられている人感センサのうち比較的感度が高いものである。また、現在用いられている複数種類の人感センサの感度、及び点灯時の輝度の範囲を加味すると、消灯時間を３秒〜１０秒にすることが好ましい。
【０１５２】
このように、上述した実施の形態のように、消灯時に照度を連続的又は段階的に減少させることで、消灯時における人感センサの誤動作を防止することができる。これは、特に、人感センサのレンズ以外の部分が、非透光性部材により覆われていない場合に有効である。また、人感センサと発光部（ＬＥＤ）とが近接配置されている場合に有効である。例えば、図１５に示す構造と図１６に示す構造とを比較した場合には、上記効果は、図１５に示す構造に対して特に有効である。また、図１８に示す構造と図２０に示す構造とを比較した場合には、上記効果は、図１８に示す構造に対して特に有効である。
【０１５３】
また、上記誤動作が防止できることにより、例えば、人感センサを非透光性部材で覆う必要がなくなるので、照明用光源のコストを削減できる。また、人感センサと発光部との配置の自由度が向上する。
【０１５４】
以上、本発明に係る照明用光源について、実施形態に基づいて説明したが、本発明は、これらの実施形態に限定されるものではない。
【０１５５】
また、本発明は、上記の照明用光源を備える照明装置として実現することもできる。例えば、本発明に係る照明装置として、上記の照明用光源と、当該照明用光源が取り付けられる点灯器具とを備えるように構成してもよい。この場合、点灯器具は、照明用光源の消灯及び点灯を行うものであり、例えば、天井に取り付けられる器具本体と、照明用光源を覆うカバーとを備える。このうち、器具本体は、照明用光源の口金が装着されるとともに照明用光源に給電を行うソケットを有する。
【０１５６】
また、上記で用いた数字は、全て本発明を具体的に説明するために例示するものであり、本発明は例示された数字に制限されない。さらに、ハイ／ローにより表される論理レベル又はオン／オフにより表されるスイッチング状態は、本発明を具体的に説明するために例示するものであり、例示された論理レベル又はスイッチング状態の異なる組み合わせにより、同等な結果を得ることも可能である。
【０１５７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１５８】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、又は容量素子等の素子を接続したものも本発明に含まれる。
【０１５９】
また、抵抗素子及びスイッチの少なくとも一方は、発光部に含まれずに、駆動回路等に含まれてもよい。
【０１６０】
また、ＬＥＤモジュールは、ＣＯＢ型に限らず、ＳＭＤ型（Ｓｕｒｆａｃｅ  Ｍｏｕｎｔ  Ｄｅｖｉｃｅ）であってもよい。この場合、実装基板にＳＭＤ型の光源が複数個搭載される。
【０１６１】
その他、本発明の趣旨を逸脱しない限り、当業者が思いつく各種変形を本実施の形態に施したもの、又は、異なる実施の形態における構成要素を組み合わせて構築される形態も、本発明の範囲内に含まれる。
【産業上の利用可能性】
【０１６２】
本発明は、従来の白熱電球等を代替するランプ、特に電球形ＬＥＤランプ等として、照明装置一般に広く利用することができる。
【符号の説明】
【０１６３】
１、１００、２００Ａ、２００Ｂ、３００Ａ、３００Ｂ、３００Ｃ、４００  照明用光源
１０  発光モジュール
２０、２０４  基台
３０、４１０  グローブ
５０  絶縁ケース
６０、２０５、３５０  筐体
７０、２０１、４３０  口金
８０、２０７、３７９、４８０  センサ部
９０  導光部材
１０１  外乱検出部
１０２  タイマー回路
１０３  駆動回路
１０４  発光部
１１１  トリガ信号
１１２  制御信号
１１２Ａ  点灯切替信号
１１２Ｂ  段調光切替信号
１３１  点灯制御部
１３２  電源
１３３  ノード
１３５  判定回路
１４１、１５１、１５２、１６１、１６２、１７１、１７２  ＬＥＤ
１４２、１５３、１６３、Ｒ１  抵抗素子
１４３、１５４、１６４、１７３  スイッチ
１８１、１８２  発光素子
２０２  口金ピン
２０３  カバー
２０６、３４２、４２０  ＬＥＤモジュール
３１０、３３０  熱伝導シート
３２０  支持台
３４０  実装基板
３４１  発光部
３５１、３５１ａ、３５１ｂ、３５１ｃ、３５１ｄ、３５１ｅ  貫通孔
３５２、３５２ａ、３５２ｂ、３５２ｃ、３５２ｄ、３５２ｅ  電気接続ピン
３７０  回路基板
３８０  反射鏡
３９０  透光性カバー
３９１  赤外透過窓
３９５  配線部材
３９６  リード線
３９７  コネクタ
４２２  半導体発光素子
４４０  支持部材
４５０  ケース蓋
４６０  ケース
５００  照明装置
５１０  天井
５２０  点灯器具
５２１  器具本体
５２１ａ  ソケット
５２２  ランプカバー
Ｃ１  容量素子
【図１】
0005492350.tif 000002
【図２】
0005492350.tif 000003
【図３】
0005492350.tif 000004
【図４】
0005492350.tif 000005
【図５】
0005492350.tif 000006
【図６】
0005492350.tif 000007
【図７】
0005492350.tif 000008
【図８】
0005492350.tif 000009
【図９】
0005492350.tif 000010
【図１０】
0005492350.tif 000011
【図１１】
0005492350.tif 000012
【図１２】
0005492350.tif 000013
【図１３】
0005492350.tif 000014
【図１４】
0005492350.tif 000015
【図１５】
0005492350.tif 000016
【図１６】
0005492350.tif 000017
【図１７Ａ】
0005492350.tif 000018
【図１７Ｂ】
0005492350.tif 000019
【図１８】
0005492350.tif 000020
【図１９】
0005492350.tif 000021
【図２０】
0005492350.tif 000022
【図２１】
0005492350.tif 000023
【図２２】
0005492350.tif 000024
【図２３】
0005492350.tif 000025
【図２４】
0005492350.tif 000026
【図２５】
0005492350.tif 000027
【図２６】
0005492350.tif 000028
【図２７】
0005492350.tif 000029